(57)【要約】【課題】構造を簡素化し、設置スペースを少なくし、圧力損失を低減できる組合せバタフライ弁と組合せバタフライ弁を備えた蒸気タービンプラントを提供する。【解決手段】  本発明に係る組合せバタフライ弁は、管状のケーシング３と、前記ケーシング３に蒸気の流れる方向に沿って配置された２つのバタフライ弁弁体と、前記２つのバタフライ弁弁体の中間部の前記ケーシング３に取り付けられ、前記バタフライ弁弁体のうち一方のバタフライ弁弁体の上側に接触して当該一方のバタフライ弁弁体を全開位置に保持するとともに、他方のバタフライ弁弁体の下側に接触して当該他方のバタフライ弁弁体を全開位置に保持する、棒状の全開ストッパー６を備えたことを特徴とする。【選択図】図１
2007292129.tif 000002
【特許請求の範囲】
【請求項１】
管状のケーシングと、
前記ケーシングに蒸気の流れる方向に沿って配置された２つのバタフライ弁弁体と、
前記２つのバタフライ弁弁体の中間部の前記ケーシングに取り付けられ、前記バタフライ弁弁体のうち一方のバタフライ弁弁体の上側に接触して当該一方のバタフライ弁弁体を全開位置に保持するとともに、他方のバタフライ弁弁体の下側に接触して当該他方のバタフライ弁弁体を全開位置に保持する、棒状の全開ストッパーを備えたことを特徴とする組合せバタフライ弁。
【請求項２】
前記全開ストッパーは、少なくとも両端部の断面が流線形であることを特徴とする請求項１記載の組合せバタフライ弁。
【請求項３】
請求項１乃至２に記載された組合せバタフライ弁を備えたことを特徴とする蒸気タービンプラント。
【発明の詳細な説明】
【技術分野】
【０００１】
本発明は、蒸気タービンなどに適用される弁装置に係り、特に２つのバタフライ弁弁体を組合せた組合せバタフライ弁及びこれを備えた蒸気タービンプラントに関する。
【背景技術】
【０００２】
原子力発電プラントの低圧蒸気タービンの入口には、蒸気タービンの停止あるいは調速のために、中間蒸気止め弁とインターセプト弁を組合せた組合せバタフライ弁が設置されている。（例えば、特許文献１参照。）図７は、従来の組合せバタフライ弁の断面図である。なお、図７は弁が全開した状態を示している。
【０００３】
ケーシング３は、管状となっており、上流側の配管と接続するための入口フランジ４と、下流側の配管と接続するための出口フランジ５が設けられている。ケーシング３は内部に蒸気の流れる方向に沿って２つのバタフライ弁の弁体を備える。この例では、上流側に中間蒸気止め弁のための中間蒸気止め弁弁体１、下流側にインターセプト弁のためのインターセプト弁弁体２が設置されている。駆動装置１０ａは、ケーシング３の下部に取り付けられ、中間蒸気止め弁弁体１の弁シャフト９ａを回転させて弁を開閉させる。同様に、駆動装置１０ｂは、ケーシング３の下部に取り付けられ、インターセプト弁弁体２の弁シャフト９ｂを回転させて弁を開閉させる。全開ストッパー６ａは、ケーシング３の長手方向に対して垂直な方向に、その両端をケーシング３に取り付けられて設置されている。この全開ストッパー６ａは中間蒸気止め弁弁体１が全開となる位置で中間蒸気止め弁弁体１と接触して中間蒸気止め弁弁体１を全開保持させる。全開ストッパー６ｂも全開ストッパー６ａと同様に設置され、インターセプト弁弁体２が全開となる位置でインターセプト弁弁体２と接触してインターセプト弁弁体２を全開保持させる。  
【特許文献１】特開昭６３−１３５６６２号公報
【発明の開示】
【発明が解決しようとする課題】
【０００４】
蒸気タービンの運転中は、ほとんどの期間で中間蒸気止め弁弁体およびインターセプト弁弁体は全開状態であり、全開状態の弁体のふらつきを抑制するために、それぞれの全開ストッパーに弁体が接触して弁体を全開保持している。このとき、全開ストッパーの中央部には駆動装置による荷重が片側からかかることによってたわみが発生する虞がある。このため、これを防ぐために、全開ストッパーを太くする必要があった。しかしながら、全開ストッパーを太くすると、棒状の全開ストッパーの前後に蒸気の渦流が発生して圧力損失が大きくなり、プラントの運転効率が悪化する虞があった。
【０００５】
また、従来の組合せバタフライ弁は２つのバタフライ弁弁体で構成されており、設計が簡素でバタフライ弁弁体や全開ストッパー等、部品も共通化できるが、ケーシングの出入口フランジの近くには全開ストッパーを設置することができないため、ケーシングを長くする必要があった。
【０００６】
本発明の目的は、構造を簡素化し、設置スペースを少なくし、圧力損失を低減できる組合せバタフライ弁とこれを備えた蒸気タービンプラントを得ることにある。
【課題を解決するための手段】
【０００７】
上記目的を達成するために、本発明における組合せバタフライ弁は、管状のケーシングと、前記ケーシングに蒸気の流れる方向に沿って配置された２つのバタフライ弁弁体と、前記２つのバタフライ弁弁体の中間部の前記ケーシングに取り付けられ、前記バタフライ弁弁体のうち一方のバタフライ弁弁体の上側に接触して当該一方のバタフライ弁弁体を全開位置に保持するとともに、他方のバタフライ弁弁体の下側に接触して当該他方のバタフライ弁弁体を全開位置に保持する、棒状の全開ストッパーを備えたことを特徴とする。
【発明の効果】
【０００８】
本発明によれば、２つのバタフライ弁弁体の全開ストッパーを１本にすることで構造を簡素化した組合せバタフライ弁、あるいは、これを備えた蒸気タービンプラントを提供できる。
【発明を実施するための最良の形態】
【０００９】
以下本発明を実施するための最良の形態について図面を参照して説明する。図１乃至図３に、本発明の第１の実施の形態に係る組合せバタフライ弁を示す。図１は本実施の形態に係る組合せバタフライ弁の長手方向の断面図であり、図２は本実施の形態に係る組合せバタフライ弁の全開ストッパー６を含む断面での断面図、図３は図１のＡ部の拡大図である。なお、図１乃至図３においては、全開ストッパー６以外の構成は背景技術として示した図７と同様であるため、全開ストッパー６以外の構成要素については、図７と同一の符号を付し、その詳細な説明を省略する。
【００１０】
本実施の形態に係る組合せバタフライ弁においては、全開ストッパー６は、１本のみが中間蒸気止め弁弁体１とインターセプト弁弁体２の間に設置されている。この全開ストッパー６は、断面形状を円形に形成した棒であり、ケーシング３の中央部にケーシング３の長手方向に対して垂直に貫通して、その両端を全開ストッパーフランジ７によってケーシング３に取り付けられている。本実施の形態においては、全開ストッパー６は中間蒸気止め弁弁体１及びインターセプト弁弁体２の回転軸に対して平行に設置され、中間蒸気止め弁弁体１の全開時には、中間蒸気止め弁弁体１の上側に接触して中間蒸気止め弁弁体１を保持する。さらに、全開ストッパー６は、インターセプト弁弁体２の全開時には、インターセプト弁弁体２の下側に接触してインターセプト弁弁体２を保持する。中間蒸気止め弁弁体１とインターセプト弁弁体２の両者が全開となっているときには、全開ストッパー６へ、下方から中間蒸気止め弁弁体１の駆動装置（図示せず）による開方向荷重１１が加わり、上方からはインターセプト弁弁体２の駆動装置（図示せず）による開方向荷重１２が加わっている。すなわち、全開ストッパー６は、中間蒸気止め弁弁体１とインターセプト弁弁体２が全開状態のときにそれぞれの弁の駆動装置の荷重を１本で両側から受ける構成となっている。このように、本実施の形態に係る組合せバタフライ弁では、２つの弁体の全開時に１つの全開ストッパー６がそれぞれの弁体の駆動装置の荷重を両側から受けるのでたわみが発生しない。よって、１本のみ設置された全開ストッパー６を従来よりも細くすることができ、さらに、全開ストッパー６を細くできることで、全開ストッパー６周りに生ずる渦流による圧力損失も低減できる。
【００１１】
また本実施の形態においては、全開ストッパー６が1本で済むので、組合せバタフライ弁の入口フランジ４の中央から出口フランジ５の中央までの面間Ｌを、中間蒸気止め弁弁体１およびインターセプト弁弁体２の弁口径Ｄの２倍よりも小さくすることができる。よって、組合せバタフライ弁が小さくなり、弁の設置スペースが小さくなり、プラント全体をコンパクトにすることができる。さらに、本実施の形態においては、上述のように組合せバタフライ弁のケーシングが小さくできるので、図７に示したような従来の組合せバタフライ弁及びバタフライ弁弁体を用いない従来の組合せ蒸気弁を交換する場合でも、元の弁の設置スペースに十分に収納でき、既存プラントの改修にも容易に対応できる。
【００１２】
なお、図１では、中間蒸気止め弁弁体１が全開ストッパー６の下に、インターセプト弁弁体２が全開ストッパー６の上に接触しているが、上下を逆にしてもよい。
【００１３】
次に、本発明の組合せバタフライ弁の第２の実施の形態を図４乃至図６を用いて説明する。図４は本発明の第２の実施の形態に係る組合せバタフライ弁の水平方向の断面図である。図５は、図４における全開ストッパー６周りのＡＡ断面の断面図である。また、図６は、全開ストッパー６周りのＢＢ断面の断面図である。なお、これらの図において、全開ストッパー６以外の構成は図１と同様であるため、全開ストッパー６以外の構成要素については、図１と同一の符号を付し、その詳細な説明を省略する。図６に示すように、本実施の形態においては、図４の全開ストッパー６の断面形状は、両端部において流線形となっている。本実施の形態においては、全開ストッパー６の両端部のうち、いずれの弁体にも接触しない部分の断面形状を流線形に形成し、弁体に接する部分の断面形状を円形とし たので、全開ストッパー６の周りに生じる抵抗が少なくなる。このため、組合せバタフライ弁の圧力損失を低減することができる。
【００１４】
なお、本発明の組合せバタフライ弁は、中間蒸気止め弁弁体１、インターセプト弁弁体２を組合せた組合せバタフライ弁だけでなく、蒸気タービンプラントに用いられるその他の組合せ弁にも適用できる。
【図面の簡単な説明】
【００１５】
【図１】本発明の第１の実施の形態に係る組合せバタフライ弁の長手方向の断面図。
【図２】本発明の第１の実施の形態に係る組合せバタフライ弁の全開ストッパーを含む断面での断面図。
【図３】本発明の第１の実施の形態に係る組合せバタフライ弁の全開ストッパー周りの拡大断面図。
【図４】本発明の第２の実施の形態に係る組合せバタフライ弁の水平方向の断面図。
【図５】本発明の第２の実施の形態に係る組合せバタフライ弁の全開ストッパー周りのＡＡ断面の断面図。
【図６】本発明の第２の実施の形態に係る組合せバタフライ弁の全開ストッパー周りのＢＢ断面の断面図。
【図７】従来の組合せバタフライ弁。
【符号の説明】
【００１６】
１…中間蒸気止め弁弁体、２…インターセプト弁弁体、３…ケーシング、４…入口フランジ、５…出口フランジ、６…全開ストッパー、６ａ…中間蒸気止め弁弁体用全開ストッパー、６ｂ…インターセプト弁弁体用全開ストッパー、７…全開ストッパーフランジ、８…流線形全開ストッパー、９ａ…中間蒸気止め弁弁体用弁シャフト、９ｂ…インターセプト弁弁体用弁シャフト、１０ａ…中間蒸気止め弁弁体用駆動装置、１０ｂ…インターセプト弁弁体用駆動装置、１１…中間蒸気止め弁弁体用駆動装置による開方向荷重、１２…インターセプト弁弁体用駆動装置による開方向荷重。
【図１】
2007292129.tif 000003
【図２】
2007292129.tif 000004
【図３】
2007292129.tif 000005
【図４】
2007292129.tif 000006
【図５】
2007292129.tif 000007
【図６】
2007292129.tif 000008
【図７】
2007292129.tif 000009